【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
人支持装置であって、
人を支えるように構成された人支持面と、
前記人支持面の少なくとも一部分に運動を伝達するよう構成されたアクチュエータと、
人支持装置上にある電子システムとを備え、
前記電子システムは、
プロセッサと、
メモリと、
前記プロセッサによる指示のとおりに情報を表示するように構成されたグラフィカルユーザーインターフェースと、
高速ネットワークインターフェースと、
リモートサーバーアプリケーションからのデータを、前記高速ネットワークインターフェースを介して受信し、前記グラフィカルユーザーインターフェースをリモートサーバーコンピュータのクライアントコンピュータとして動作させるよう構成された汎用オペレーティングシステムとを有し、
前記電子システムは、前記表面を移動させるよう前記アクチュエータを制御するよう構成される、
人支持装置。
【請求項２】
前記高速ネットワークインターフェースは、プロセッサデータを標準ネットワークフォーマットに変換するよう構成されたコンバータを備えた、請求項１に記載した装置。
【請求項３】
前記電子システムをリモートサーバーから絶縁するよう構成された電気的絶縁回路をさらに備えた、請求項１に記載した装置。
【請求項４】
前記絶縁回路は誘導性アイソレータを含む、請求項３に記載した装置。
【請求項５】
前記絶縁回路はデジタルデータストリームアイソレータを含む、請求項４に記載した装置。
【請求項６】
前記高速ネットワークインターフェースは、前記プロセッサ内に統合された、請求項１に記載した装置。
【請求項７】
前記プロセッサは、前記アクチュエータを制御するための制御ソフトウェアを実行するよう構成されたコントローラと通信する、請求項１に記載した装置。
【請求項８】
前記コントローラは、コントローラエリアネットワーク（ＣＡＮ）モジュールを備えた、請求項７に記載した装置。
【請求項９】
前記プロセッサは、統合型のイーサネットインターフェース、統合型のＣＡＮインターフェース、統合型の画像処理装置、およびＵＳＢインターフェースのうち少なくとも２つを含む、請求項１に記載した装置。
【請求項１０】
前記患者支持装置上に設けられ、前記電子システムと接続された少なくとも１つのＵＳＢポートをさらに備えた、請求項１に記載した装置。
【請求項１１】
人支持装置であって、
人を支えるよう構成された上面と、
前記上面の少なくとも一部分に運動を伝達するよう構成された可動アクチュエータと、
前記人支持装置に接続され、前記可動アクチュエータを制御するよう構成された電子システムとを有し、前記電子システムは、プロセッサと、メモリと、前記プロセッサによる指示のとおりに情報を表示するように構成されたユーザーインターフェースと、配線接続を介して病院ネットワークに接続されるように構成されたネットワークコネクタと、少なくとも一部の時間において１Ｍｂ／秒よりも速いデータ転送速度でデータを受信するよう構成され、前記ネットワークコネクタを介した前記病院ネットワークとのデータ通信を可能とするよう構成されたネットワークインターフェースと、前記プロセッサによって実行可能であり、人支持装置用に設計されていない複数のコンピュータソフトウェアアプリケーションを修正なしに実行できるように構成された汎用オペレーティングシステムと、前記プロセッサによって実行可能であり、リモートサーバーに対しタスクを実行するよう要求を送信し、前記要求に応答してユーザーインターフェース上に表示される画面を定義するデータを受信し、画面の一部に使用者からの入力を受信し、およびその入力をリモートサーバーに送信することにより、電子システムがクライアントコンピュータとして機能するように構成されているブラウザソフトウェアと、使用者からの少なくとも１つの入力により可動アクチュエータを制御するように構成された制御ソフトウェアと、電子システムの少なくとも一部分からのネットワークコネクタの電気的絶縁を提供するように構成された電気的アイソレータとを備えた、人支持装置。
【請求項１２】
前記電気的アイソレータは、２．０ｍｍよりも大きい空間距離および沿面距離のうち少なくとも１つを有する、請求項１１に記載した装置。
【請求項１３】
前記電気的アイソレータは、光学的、誘導性、磁性、および容量性の結合のうち少なくとも１つにより絶縁を提供するよう構成されている、請求項１１に記載した装置。
【請求項１４】
前記電気的アイソレータは、容量性結合により絶縁を提供するよう構成された、請求項１３に記載した装置。
【請求項１５】
前記アイソレータは、デジタルアイソレータを含む、請求項１１に記載した装置。
【請求項１６】
ネットワーク信号を、前記プロセッサの出力のプロトコルに対応した信号に変換するように構成されたコンバータ回路をさらに備える、請求項１１に記載した装置。
【請求項１７】
前記電子システムは、前記ネットワークコネクタとの間で信号をやり取りするよう構成された磁気インターフェースを含む、請求項１１に記載した装置。
【請求項１８】
前記アイソレータは、前記コンバータ回路と通信する、請求項１６に記載した装置。
【請求項１９】
前記電子システムは、前記患者支持が位置する前記部屋の識別情報を受信し、前記ネットワークコネクタを介して前記識別情報を送信するように構成された、請求項１１に記載した装置。
【請求項２０】
前記電子システムは、位置識別信号が前記リモートサーバーに伝達され、前記リモートサーバーが前記電子システムからのデータを病院内の物理的な位置と関連付けしうるように構成された、請求項１１に記載した装置。
【請求項２１】
前記表面はベッドデッキを含み、前記アクチュエータは電動アクチュエータを含み、および前記制御ソフトウェアは前記アクチュエータを介して前記ベッドデッキを動かすように構成された、請求項１１に記載した装置。
【請求項２２】
前記表面はマットレスの上部分を含み、前記アクチュエータはポンプおよびブロワーのうち少なくとも１つを含み、前記制御ソフトウェアは前記マットレスの上部分内で空気を移動させるように構成された、請求項１１に記載した装置。
【請求項２３】
前記ネットワークインターフェースは少なくとも１メガビット／秒のデータ転送速度を有する、請求項１１に記載した装置。
【請求項２４】
前記プロセッサは、内蔵型のネットワーク通信回路を含む、請求項１１に記載した装置。
【請求項２５】
前記ネットワーク通信回路はイーサネット通信回路を含む、請求項２４に記載した装置。
【請求項２６】
前記ブラウザソフトウェアおよび前記制御ソフトウェアは前記プロセッサにより実行される、請求項１１に記載した装置。
【請求項２７】
前記プロセッサは、前記制御ソフトウェアを実行するコントローラと通信する、請求項１１に記載した装置。
【請求項２８】
前記コントローラは、コントローラエリアネットワーク（ＣＡＮ）モジュールを備える、請求項２７に記載した装置。
【請求項２９】
前記プロセッサは、統合型のイーサネットインターフェース、統合型のＣＡＮインターフェース、統合型の画像処理装置、およびＵＳＢインターフェースのうち少なくとも２つを含む、請求項１１に記載した装置。
【請求項３０】
前記患者支持装置上に設けられ、前記電子システムと接続された少なくとも１つのＵＳＢポートをさらに備える、請求項１１に記載した装置。
【請求項３１】
人支持装置であって、
人を支えるように構成された人支持面と、
前記上面の少なくとも一部分に運動を伝達するよう構成された可動アクチュエータと、
前記人支持装置に接続され、かつ前記可動アクチュエータを制御するように構成された電子システムとを備え、前記システムは、
プロセッサと、
メモリと、
前記プロセッサによる指示のとおりに情報を表示するように構成されたユーザーインターフェースと、
１Ｍｂ／秒よりも速いデータ転送速度を受信し、また病院ネットワークとの無線でのデータ通信を可能にするよう構成された無線ネットワークインターフェースと、
前記プロセッサによって実行可能であり、ホームコンピュータソフトウェアアプリケーションを修正なしに実行するよう構成された、汎用オペレーティングシステムと、
前記プロセッサにより実行可能であり、かつタスクを実行する要求をリモートサーバーに送信し、前記要求に応答して前記ユーザーインターフェース上に表示される画面を定義するデータを受信し、前記画面の一部に使用者からの入力を受信し、前記入力を前記リモートサーバーに送信することにより、前記電子システムがクライアントコンピュータとして機能することを可能とするよう構成されたブラウザソフトウェアと、
使用者からの少なくとも１つの入力により前記可動アクチュエータを制御するように構成された制御ソフトウェアとを含む、
人支持装置。
【請求項３２】
前記表面はベッドデッキを含み、前記アクチュエータは電動アクチュエータを含み、および前記制御ソフトウェアは前記アクチュエータを介して前記ベッドデッキを動かすように構成された、請求項３１に記載した装置。
【請求項３３】
前記表面はマットレスの上部分を含み、前記アクチュエータはポンプおよびブロワーのうち少なくとも１つを含み、前記制御ソフトウェアは前記マットレスの上部分内で空気を移動させるように構成された、請求項３１に記載した装置。
【請求項３４】
前記ネットワークインターフェースは１０メガビット／秒よりも速いデータ転送速度を有する、請求項３１に記載した装置。
【請求項３５】
前記プロセッサは内蔵型のネットワーク通信回路を含む、請求項３１に記載した装置。
【請求項３６】
前記ネットワーク通信回路はイーサネット通信回路を含む、請求項３１に記載した装置。
【請求項３７】
前記ブラウザソフトウェアおよび前記制御ソフトウェアは前記プロセッサにより実行される、請求項３１に記載した装置。
【請求項３８】
前記プロセッサが前記制御ソフトウェアを実行するコントローラと通信する、請求項３１に記載した装置。
【請求項３９】
前記コントローラはコントローラエリアネットワーク（ＣＡＮ）モジュールを含む、請求項３８に記載した装置。
【請求項４０】
前記プロセッサは、統合型のイーサネットインターフェース、統合型のＣＡＮインターフェース、統合型の画像処理装置、およびＵＳＢインターフェースのうち少なくとも２つを含む、請求項３１に記載した装置。
【請求項４１】
前記患者支持装置上に設けられ、前記電子システムと接続された少なくとも１つのＵＳＢポートをさらに備えた請求項３１に記載した装置。
【請求項４２】
人支持装置であって、
人を支えるように構成された表面と、
表面の少なくとも一部分に動きを伝達するよう構成されたアクチュエータと、
人支持装置にある電子制御システムとを備え、
前記システムは、
プロセッサと、
メモリと、
前記プロセッサにより制御されるグラフィカルユーザーインターフェースと、
高速ネットワークインターフェースと、
前記高速ネットワークインターフェースを介してデータをリモートコンピュータアプリケーションに供給し、クライアントコンピュータに対するサーバーコンピュータとして動作するように構成された、汎用オペレーティングシステムとを有し、
前記電子システムは、表面を移動させるアクチュエータを制御するよう構成された、
人支持装置。
【請求項４３】
前記ネットワークインターフェースは、前記人支持電子システム内に、プロセッサデータを標準ネットワークフォーマットに変換するよう構成された高速コンバータを備えた、請求項４２に記載した装置。
【請求項４４】
前記電子システム構成要素の少なくとも大部分をリモートサーバーから電気的に絶縁するよう構成された電気的絶縁回路をさらに備えた、請求項４２に記載した装置。
【請求項４５】
前記絶縁回路は誘導性のアイソレータを含む、請求項４４に記載した装置。
【請求項４６】
前記絶縁回路はデジタルアイソレータを含む、請求項４５に記載した装置。
【請求項４７】
前記プロセッサは前記ネットワークインターフェースと統合された、請求項４２に記載した装置。
【請求項４８】
前記ネットワークインターフェースはイーサネットインターフェースを含む、請求項４７に記載した装置。
【請求項４９】
人支持装置であって、
人を支えるように構成された表面と、
前記表面の少なくとも一部分に動きを伝達するよう構成されたアクチュエータと、
人支持装置上にある電子システムとを備え、
前記システムは、
少なくとも約３００ＭＨｚの速度を有するプロセッサと、
少なくとも約１２８メガバイトのサイズを有する揮発性メモリと、
少なくとも約６４メガバイトのサイズを有する不揮発性メモリと、
前記プロセッサによる指示のとおりに情報を表示するように構成されたグラフィカルユーザーインターフェースと、
高速ネットワークインターフェースと、
複数の異なる装置上にインストールすることが可能で、リモートサーバーアプリケーションからのデータを、前記高速ネットワークインターフェースを介して受信するように構成された、汎用オペレーティングシステムと、
少なくとも一部の時間、少なくとも１メガビット／秒のデータ通信速度を有する、高速ネットワークインターフェースとを有し、
前記電子システムは、前記表面を移動させる前記アクチュエータを制御するよう構成される、
人支持装置。
【請求項５０】
前記電子システムの少なくとも一部分をリモートネットワークから電気的に絶縁するよう構成された電気的アイソレータをさらに備えた、請求項４９に記載した人支持装置。
【請求項５１】
前記オペレーティングシステムは、前記人支持装置がデータ要求をリモートサーバーに送信し、前記データ要求に対する応答を受信できるように構成された、請求項４９に記載した人支持装置。
【請求項５２】
前記オペレーティングシステムは、前記人支持装置が計算リソースをリモートサーバーコンピュータと共有できるように構成された、請求項４９に記載した人支持装置。
【請求項５３】
前記表面は、互いに対して旋回する複数のデッキセクションを備えた、請求項４９に記載した人支持装置。
【請求項５４】
前記プロセッサは、前記アクチュエータを作動させる制御ソフトウェア実行するコントローラと通信する、請求項４９に記載した装置。
【請求項５５】
前記コントローラは、コントローラエリアネットワーク（ＣＡＮ）モジュールを備えた、請求項５４に記載した装置。
【請求項５６】
前記プロセッサは、前記アクチュエータを制御する制御ソフトウェア、およびリモートサーバーのクライアントとしてグラフィカルページを表示するブラウザソフトウェアを実行する、請求項４９に記載した装置。
【請求項５７】
前記プロセッサは、統合型のイーサネットインターフェース、統合型のＣＡＮインターフェース、統合型の画像処理装置、およびＵＳＢインターフェースのうち少なくとも２つを含む、請求項４９に記載した装置。
【請求項５８】
前記患者支持装置上に設けられ、前記電子システムと接続された少なくとも１つのＵＳＢポートをさらに備えた請求項４９に記載した装置。
【請求項５９】
人支持装置であって、
人を支えるように構成された表面と、
前記表面に動きを伝達するよう構成されたアクチュエータと、
人支持装置に接続された電子システムとを備え、
前記システムは、
プロセッサと、
メモリと、
前記プロセッサによる指示のとおりに情報を表示するように構成されたユーザーインターフェースと、
ネットワークインターフェースと、
前記電子システムがクライアントコンピュータとして機能するようにし、前記ネットワークインターフェースを介して、コンピュータネットワーク上のサーバーコンピュータの役目をする少なくとも１つのリモートコンピュータと計算リソースを共有するように構成された、オペレーティングシステムとを有する、
人支持装置。
【請求項６０】
前記表面はベッドデッキを含み、また前記電子システムはさらに前記デッキを前記フレームに対して動かすように構成された、請求項５９に記載した装置。
【請求項６１】
前記電子システムは、前記デッキを前記フレームに対して動かす前記アクチュエータを制御する、請求項６０に記載した装置。
【請求項６２】
ネットワークコネクタ、および前記ネットワークコネクタをリモートサーバーから電気的に絶縁するよう構成された絶縁回路をさらに備えた、請求項５９に記載した装置。
【請求項６３】
前記プロセッサは、前記アクチュエータを作動させる制御ソフトウェアを実行するコントローラと通信する、請求項５９に記載した装置。
【請求項６４】
前記コントローラはコントローラエリアネットワーク（ＣＡＮ）モジュールを備えた、請求項６３に記載した装置。
【請求項６５】
前記プロセッサは、統合型のイーサネットインターフェース、統合型のＣＡＮインターフェース、統合型の画像処理装置、およびＵＳＢインターフェースのうち少なくとも２つを含む、請求項５９に記載した装置。
【請求項６６】
前記患者支持装置上に設けられ、前記電子システムと接続された少なくとも１つのＵＳＢポートをさらに備えた請求項５９に記載した装置。
【請求項６７】
人支持装置であって、
人を支えるように構成された上面と、
前記上面の少なくとも一部分に運動を伝達するよう構成された可動アクチュエータと、
人支持装置に接続され、かつ前記可動アクチュエータを制御するように構成された電子システムとを備え、
前記システムは、
プロセッサと、
メモリと、
前記プロセッサによる指示のとおりに情報を表示するように構成されたユーザーインターフェースと、
ネットワークインターフェースと、
前記プロセッサにより実行可能であり、サーバーに対しタスクを実行する要求を生成し、前記タスクに関連する画面をユーザーインターフェース上に表示し、前記画面を見ている使用者から前記タスクに関連する入力を受信し、前記入力を前記サーバーに送信するすることにより、前記電子システムがクライアントコンピュータとして機能するように構成されたソフトウェアとを有する、
人支持装置。
【請求項６８】
前記アクチュエータは、液体ポンプおよび電動アクチュエータのうち少なくとも１つを含む、請求項６７に記載した装置。
【請求項６９】
前記表面は、ベッドデッキおよびマットレス袋のうち少なくとも１つを含む、請求項６７に記載した装置。
【請求項７０】
前記ソフトウェアは、オペレーティングシステムおよびブラウザのうち少なくとも１つを含む、請求項６７に記載した装置。
【請求項７１】
請求項６７に記載した装置であって、プロセッサ信号をネットワークフォーマットの信号に変換するように構成されたネットワークインターフェース、前記ネットワークフォーマットの信号を配信するよう構成されたネットワークコネクタ、および少なくとも前記ネットワークコネクタを前記アクチュエータから電気的に絶縁するように構成された絶縁回路をさらに備えた装置。
【請求項７２】
前記ネットワークインターフェースはプロセッサと統合される、請求項７１に記載した装置。
【請求項７３】
前記プロセッサは前記アクチュエータを作動させる制御ソフトウェアを実行するように構成されたコントローラと通信する、請求項７２に記載した装置。
【請求項７４】
前記コントローラはコントローラエリアネットワーク（ＣＡＮ）モジュールを含む、請求項７３に記載した装置。
【請求項７５】
前記プロセッサは、統合型のイーサネットインターフェース、統合型のＣＡＮインターフェース、統合型の画像処理装置、およびＵＳＢインターフェースのうち少なくとも２つを含む、請求項７１に記載した装置。
【請求項７６】
前記患者支持装置上に設けられ、前記電子システムと接続された少なくとも１つのＵＳＢポートをさらに備えた請求項７１に記載した装置。
【請求項７７】
人支持装置であって、
人を支えるように構成された上面と、
前記上面の少なくとも一部分に運動を伝達するよう構成された可動アクチュエータと、
人支持装置に接続され、かつ前記可動アクチュエータを制御するように構成された電子システムとを備え、
前記システムは、
プロセッサと、
メモリと、
前記プロセッサによる指示のとおりに情報を表示するように構成されたユーザーインターフェースと、
ネットワークインターフェースと、
前記プロセッサにより実行可能であり、クライアントからタスクを実行する要求を受信し、前記タスクを実行し、前記タスクに関連する入力を遠隔で画面を見ているリモート使用者から受信することにより、前記電子システムがサーバーコンピュータとして機能するよう構成されたソフトウェアとを有する、
人支持装置。
【請求項７８】
前記クライアントは、携帯用コンピュータ、スマートフォン、ラップトップコンピュータ、およびｉＰＡＤコンピュータのうち少なくとも１つを含む、請求項７７に記載した装置。
【請求項７９】
前記アクチュエータは液体ポンプおよび電動アクチュエータのうち少なくとも１つを含む、請求項７７に記載した装置。
【請求項８０】
前記表面は、ベッドデッキおよびマットレス袋のうち少なくとも１つを含む、請求項７７に記載した装置。
【請求項８１】
前記ソフトウェアはオペレーティングシステムおよびブラウザのうち少なくとも１つを含む、請求項７７に記載した装置。
【請求項８２】
前記ネットワークインターフェースはネットワークコネクタを含み、前記装置は前記ネットワークコネクタを前記アクチュエータから電気的に絶縁するよう構成された絶縁回路をさらに備えた、請求項７７に記載した装置。
【請求項８３】
プロセッサ信号をネットワークフォーマットでの信号に変換するように構成されたネットワークインターフェース、前記ネットワークフォーマットの信号を配信するよう構成されたネットワークコネクタ、および少なくとも前記ネットワークコネクタを前記アクチュエータから電気的に絶縁するように構成された絶縁回路をさらに備えた、請求項７７に記載した装置。
【請求項８４】
前記ネットワークインターフェースは前記プロセッサと統合される、請求項８３に記載した装置。
【請求項８５】
前記プロセッサは前記アクチュエータを作動させる制御ソフトウェアを実行するように構成されたコントローラと通信する、請求項７７に記載した装置。
【請求項８６】
前記アクチュエータを作動させるために前記プロセッサにより実行可能な制御ソフトウェアをさらに備えた、請求項７７に記載した装置。
【請求項８７】
前記電子システムがコントローラエリアネットワーク（ＣＡＮ）モジュールを備えた、請求項７７に記載した装置。
【請求項８８】
前記プロセッサは、統合型のイーサネットインターフェース、統合型のＣＡＮインターフェース、統合型の画像処理装置、およびＵＳＢインターフェースのうち少なくとも２つを含む、請求項７７に記載した装置。
【請求項８９】
前記患者支持装置上に設けられ、前記電子システムと接続された少なくとも１つのＵＳＢポートをさらに備えた請求項７７に記載した装置。
【請求項９０】
ネットワークサーバーとして動作するように構成された第一のコンピュータと、
人支持装置と、
前記人支持装置に連結され、ネットワークインターフェースを含む第二のコンピュータとを備え、前記第二のコンピュータは、ネットワーククライアントとして、前記第一のコンピュータと前記ネットワークインターフェースを介して通信するように構成された、
医療コンピュータネットワーク。
【請求項９１】
フレームと、
前記フレームに連結され、プロセッサおよびメモリ素子を含む制御システムであって、前記メモリ素子はオペレーティングシステムを格納し、前記プロセッサは前記オペレーティングシステムを実行するように構成された、制御システムと、
前記制御システムおよびネットワークと通信する通信インターフェースであって、前記制御システムは前記ネットワーク上でクライアントとして動作するよう構成された、通信インターフェースとを備えた、
人支持装置。
【請求項９２】
人支持装置であって、
フレームと、
前記フレームに連結され、コントローラおよび通信デバイスを含む制御システムであって、前記通信デバイスは前記コントローラとネットワークとの間のデータ通信を促進するよう構成され、前記通信デバイスは５６Ｋｂ/ｓよりも速い速度で通信するよう適応される、制御システムとを備えた、
人支持装置。
【請求項９３】
人支持装置であって、
フレームと、
前記フレームに連結され、コントローラおよび通信デバイスを含む制御システムであって、前記通信デバイスは前記コントローラとネットワークとの間のデータ通信を促進するよう構成され、前記通信デバイスは外部電源から絶縁された、制御システムとを含む、
人支持装置。
【請求項９４】
人支持装置であって、
人を支えるように構成された上面と、
前記上面の少なくとも一部分に運動を伝達するよう構成された可動アクチュエータと、
前記人支持装置に接続され、前記可動アクチュエータを制御するように構成された電子システムとを備え、
前記システムは、
プロセッサと、
メモリと、
前記プロセッサによる指示のとおりに情報を表示するように構成されたユーザーインターフェースと、
少なくとも一部の時間、１Ｍｂ／秒よりも速いデータ転送速度で、病院ネットワークとデータを通信するよう構成されたネットワークインターフェースと、
前記人支持装置用に設計されたものではない複数のコンピュータソフトウェアアプリケーションを修正なしに実行するよう構成された汎用オペレーティングシステムであって、前記プロセッサによって実行可能な汎用オペレーティングシステムと、
使用者からの少なくとも１つの入力により前記可動アクチュエータを制御するように構成された制御ソフトウェアと、
前記患者支持の位置を取得するよう構成された位置識別情報受信回路とを備え、前記電子システムはリモートコンピュータに位置を転送するように構成される、人支持装置。
【請求項９５】
前記位置識別情報受信器は、前記位置識別情報を病院位置識別子の形式で提供する壁ユニットに配線により接続されたインターフェースを備えた、請求項９４に記載した装置。
【請求項９６】
前記位置識別情報受信器は無線の受信器を備えた、請求項９４に記載した装置。
【請求項９７】
前記位置識別情報受信器は全地球測位システム（ＧＰＳ）衛星受信器、無線周波数（ＲＦ）受信器、ＷｉＦｉ受信器、超音波受信器、および赤外線受信器のうち少なくとも１つを備えた、請求項９６に記載した装置。
【請求項９８】
前記位置識別情報受信器は、受信したデータをもとに位置を判断するよう構成されている、請求項９４に記載した装置。
【請求項９９】
前記位置は前記リモートコンピュータに前記ネットワークインターフェースを介して転送され、前記リモートコンピュータは前記位置をもとに前記電子システムからのデータを特定の患者の電子医療記録に挿入するように構成された、請求項９４に記載した装置。